(57)【要約】【課題】  遮断器本体と取付台からなる回路遮断器の引出装置を、幅ができるだけ小さくなるように構成する。【解決手段】  プラグイン型遮断器本体５０の電源側と負荷側の表面にピン６を装着し、取付台１０の電源側と負荷側にプラグイン型遮断器本体５０のピン６がはまり込む直線状の溝２４とらせん状の溝２５が形成された回転盤５を有するとともに、遮断器本体側の案内溝７と引出ユニット側に設けた案内柱２６とで構成される案内手段を有する引出ユニット１８と１９を装着する。回転盤５を回転するとピン６がらせん状の溝２４の縁を介して付勢され、この付勢力によって案内手段の作用によって遮断器本体が挿入及び引き出される。【選択図】  図１
2004319427.tif 000002
【特許請求の範囲】
【請求項１】
開閉接触子及び開閉機構を収納した筐体の一端に設けられている電源側端子と他端に設けられた負荷側端子とからなる本体側端子（３，４）を有する遮断器本体（１）と外線接続端子（１２，１３）を有する取付台（１0）を備えた回路遮断器の前記遮断器本体（１）を前記本体側端子（３，４）と外線接続端子（１２，１３）とが開離した断路位置と接触した接続位置との間を移動させる回路遮断器の引出装置（１８，１９）であって、
前記遮断器本体（１）を前記取付台方向にスライドさせる案内手段（７，２６）と、
前記筐体の電源側表面及び負荷側表面に設けられた操作突起（６）と、
前記筐体の電源側表面及び負荷側表面と対向する位置に前記操作突起（６）を案内するらせん状の溝（２５）が形成された前記取付台（１０）に設けられた回転盤（５）と、
を備え、
前記回転盤（５）を回転させたとき前記溝（２５）の縁を介して前記操作突起（６）に作用する付勢作用と前記案内手段（７，２６）の案内作用によって前記遮断器本体（１）が断路位置から接続位置又は接続位置から断路位置に移動することを特徴とする回路遮断器の引出装置。
【請求項２】
前記回転盤（５）と同軸上を該回転盤（５）と共に回転する第１円弧部材（６６）と、
端部にロック片（６２ｅ）を備えた第１スライド部材（６２）と、
前記第１スライド部材（６２）を該ロック片（６２ｅ）が前記第１円弧部材（６２）の円弧の外周と接触する方向に付勢するばね部材（６８）と、
断路位置及び接続位置に対応する前記第１円弧部材（６６）の円弧の外周に形成された前記ロック片（６２ｅ）と係合可能なロック溝（Ｅ、Ｆ）とを有し、
接続位置又は断路位置まで回転した前記回転盤（５）の回転を自動的に停止させるとともにそれぞれの位置で前記回転盤（５）を保持するロック手段を備えたことを特徴とする請求項１の回路遮断器の引出装置。
【請求項３】
前記ロック片（６２ｅ）を前記ロック溝（Ｅ、Ｆ）から離脱させる方向に前記スライド部材（６２）を操作可能であって復帰ばね（６９）を有する第２スライド部材（６３）と、
前記回転盤（５）と同軸上を該回転盤（５）と共に回転するものであって前記第１円弧部材（６６）と協働して階段を形成するように前記回転盤（５）の回転面上に設けられる第２円弧部材（６５）と、
前記回転盤（５）の回転面（６４）と接触する方向に前記ロック片（６２ｅ）を付勢する付勢部材（６７）と、
前記回転盤（５）の回転中心と前記ロック溝（Ｅ、Ｆ）とを結ぶ線の延長線上において前記第２円弧部材（６５）の円弧の外周に形成された前記ロック片（６２ｅ）と係合可能なリセット溝（Ｂ、Ｃ）であって、前記第２円弧部材（６５）の回転平面上にいたる斜面状の接続位置側の壁（ＢＣ）を有する断路位置に対応する前記リセット溝（Ｂ）と、前記第２円弧部材（６５）の回転平面上にいたる斜面状の断路位置側の壁（ＣＢ）を有する接続位置に対応する前記リセット溝（Ｃ）とを有し、
前記ロック片（６２ｅ）は、断路位置又は接続位置に対応する前記ロック溝（Ｅ、Ｆ）から離脱させたとき前記第２円弧部材（６５）のリセット溝（Ｂ、Ｃ）と係合し、前記回転盤（５）を回転させたとき前記斜面状の壁（ＢＣ、ＣＢ）を摺動したあと前記第２円弧部材（６５）の回転平面上を前記第１円弧部材（６６）の円弧の外周（ＢＣＢ）に沿って相対的に摺動し、それぞれ接続位置又は断路位置に対応する前記ロック溝（Ｆ、Ｅ）と係合することを特徴とする請求項２の回路遮断器の引出装置。
【請求項４】
前記遮断器本体（１）の開閉状態に応じて動作する部材であって前記遮断器本体（１）がＯＮの状態にあるとき前記ロック片（６２ｅ）が前記ロック溝（Ｅ、Ｆ）から離脱する方向に前記第１スライド部材（６２）が移動することを阻止するインターロック部材を有することを特徴とする請求項２又は３の回路遮断器の引出装置。
【請求項５】
前記インターロック部材は、前記遮断器本体（１）の開閉に応じて往復回転する第１レバー（７２）と、前記第１レバー（７２）と係合してスライドする第３スライド部材（７０）と、前記第３スライド部材（７０）と係合して該第３スライド部材（７０）の位置に応じて前記第１スライド部材（６２）の移動を阻止する第２レバー（６１）を有することを特徴とする請求項４の回路遮断器の引出装置。
【発明の詳細な説明】
【技術分野】
【０００１】
本発明は、遮断器本体と取付台からなる回路遮断器、特に開閉接触子などが筐体内に収納された遮断器本体を有する回路遮断器の引出装置に関する。
【背景技術】
【０００２】
回路遮断器には、開閉接触子と開閉機構と本体側端子を備えた遮断器本体及び外線接続端子を備えた取付ベースとからなり、取付ベース上を遮断器本体が断路位置と接続位置との間で移動できるように案内装置を有する引出装置を設けたものがある。なお、断路位置は本体側端子と外線接続端子が所定の絶縁距離をもって断路した位置であり、接続位置は接触した位置である。図１６は、特開２００１−２４５４０９号公報に開示されている従来の回路遮断器を示す図であって、遮断器本体１００と引出枠１０１とからなり、図において正面となる左方向から右方向へ遮断器本体１００が引出枠１０１に挿入される。なおこの図では本体側端子及び外線接続端子の図示が省略されているが、本体側端子は遮断器本体１００の裏面に位置し、外線接続端子は引出枠１０１の背面内側であって本体側端子と対向する位置にある。この回路遮断器は、遮断器本体１００が引出枠１０１の左右の側板１０２、１０２の間に挿入され、車輪１０３がレール１０４上を移動することによって遮断器本体１００が引出枠１０１内を移動できる。
【特許文献１】特開２００１−２４５４０９号公報
【発明の開示】
【発明が解決しようとする課題】
【０００３】
上述した従来の回路遮断器の引出装置は、遮断器本体１００が引出枠１０１の左右の側板１０２、１０２の間に位置するように構成されているため、全体としての幅寸法が遮断器本体の幅寸法より大きいという問題があった。
したがって、本願発明は幅寸法のできるだけ小さい回路遮断器の引出装置、好ましくは回路遮断器の幅より大きくならない引出装置を提供することを目的とする。
【課題を解決するための手段】
【０００４】
上記の問題を解決するために請求項１の発明は、開閉接触子及び開閉機構を収納した筐体の一端に設けられている電源側端子と他端に設けられた負荷側端子とからなる本体側端子を有する遮断器本体と外線接続端子を有する取付台を備えた回路遮断器の遮断器本体を本体側端子と外線接続端子とが開離した断路位置と接触した接続位置との間を移動させる回路遮断器の引出装置であって、遮断器本体を取付台方向にスライドさせる案内手段と、筐体の電源側表面及び負荷側表面に設けられた操作突起と、筐体の電源側表面及び負荷側表面と対向する位置に操作突起を案内するらせん状の溝が形成された取付台に設けられた回転盤と、を備え、回転盤を回転させたとき溝の縁を介して操作突起に作用する付勢作用と案内手段の案内作用によって遮断器本体が断路位置から接続位置又は接続位置から断路位置に移動することとしている。
【０００５】
また、請求項２の発明は、請求項１の発明において、回転盤と同軸上を該回転盤と共に回転する第１円弧部材と、端部にロック片を備えた第１スライド部材と、第１スライド部材を該ロック片が第１円弧部材の円弧の外周と接触する方向に付勢するばね部材と、断路位置及び接続位置に対応する第１円弧部材の円弧の外周に形成されたロック片と係合可能なロック溝とを有し、接続位置又は断路位置まで回転した回転盤の回転を自動的に停止させるとともにそれぞれの位置で回転盤を保持するロック手段を備えたこととしている。
【０００６】
さらに、請求項３の発明は、請求項２の発明において、ロック片をロック溝から離脱させる方向にスライド部材を操作可能であって復帰ばねを有する第２スライド部材と、回転盤と同軸上を該回転盤と共に回転するものであって第１円弧部材と協働して階段を形成するように回転盤の回転面上に設けられる第２円弧部材と、回転盤の回転面と接触する方向にロック片を付勢する付勢部材と、回転盤の回転中心とロック溝とを結ぶ線の延長線上において第２円弧部材の円弧の外周に形成されたロック片と係合可能なリセット溝であって、第２円弧部材の回転平面上にいたる斜面状の接続位置側の壁を有する断路位置に対応するリセット溝と、第２円弧部材の回転平面上にいたる斜面状の断路位置側の壁を有する接続位置に対応するリセット溝とを有し、ロック片は、断路位置又は接続位置に対応するロック溝から離脱させたとき第２円弧部材のリセット溝と係合し、回転盤を回転させたとき斜面状の壁を摺動したあと第２円弧部材回転平面上を第１円弧部材の円弧の外周に沿って相対的に摺動し、それぞれ接続位置又は断路位置に対応するロック溝と係合することとしている。
【０００７】
また、請求項４の発明は、請求項２又は３の発明において、遮断器本体の開閉状態に応じて動作する部材であって遮断器本体がＯＮの状態にあるときロック片がロック溝から離脱する方向に第１スライド部材が移動することを阻止するインターロック部材を有することとしている。
さらに、請求項５の発明は、請求項４の発明において、インターロック部材は、遮断器本体の開閉に応じて往復回転する第１レバーと、第１レバーと係合してスライドする第３スライド部材と、第３スライド部材と係合して該第３スライド部材の位置に応じて第１スライド部材の移動を阻止する第２レバーを有することとしている。
【発明の効果】
【０００８】
請求項１の発明は、遮断器本体を移動操作する回転盤を遮断器本体の電源側及び負荷側に対向するように設け、らせん状の溝によって移動付勢するようにしたため、幅寸法の小さい回路遮断器の引出装置、好ましくは回路遮断器の幅より大きくならない引出装置を提供できるという効果を奏する。
【０００９】
また、請求項２の発明は、ロック片を備えた第１スライド部材を該ロック片が第１円弧部材の円弧の外周と接触する方向に付勢させ、回転盤の回転させたときロック片がロック溝と係合したとき自動的に回転板の回転が停止することにより、遮断器本体を所定の位置に自動的に停止させるとともにその位置で保持できるという機能を簡単な構成で実現できるという効果を奏する。
【００１０】
さらに、請求項３の発明は、遮断器本体の所定の位置に対応するロック溝からロック片を離脱させたとき、回転板が操作されるまではロック片がリセット溝と係合して引き続いて遮断器本体がその位置で保持され、回転させたときロック片が斜面状の壁を摺動して第２円弧部材回転平面上を第１円弧部材の円弧の外周に沿って相対的に摺動することによって、他の所定の位置に相当するロック溝と自動的に係合し遮断器本体の移動が停止するという機能を簡単な構成で実現できるという効果を奏する。
【００１１】
また、請求項４及び５の発明は、遮断器本体がＯＮの状態にあるときロック片がロック溝から離脱することを阻止する構成となっているため、遮断器本体が接続位置に達したときや接続位置から離脱するとき、本体側端子と外線接続端子との間でアークが発生することがなく安全性を確保できるという効果を奏する。
【発明を実施するための最良の形態】
【００１２】
本発明を実施するための最良の形態を、図１ないし図１５に示されている実施例において説明する。
図１０は、本実施例の引出装置に取り付けられる３極型の回路遮断器の遮断器本体１の正面図であって、上側が電源側であり下側が負荷側であり左右方向の寸法Ｗが幅寸法となる。
図１１は、遮断器本体１にプラグイン型回路遮断器としての部材を装着したプラグイン型遮断器本体５０を斜め背面から見た図であって、遮断器本体１の裏面に絶縁ベース２を取り付けたものである。遮断器本体１は略直方体の成型絶縁物製のケースの内部に図示されていない開閉接触子、開閉接触子を操作する開閉機構、過電流引外し装置などを収納した構成となっている。そして、遮断器本体１の主回路導体の端部に設けられたスタッド状の電源側端子３及び負荷側端子４からなる本体側の主回路端子が絶縁ベース２の裏面に突き出ている。なお、この絶縁ベース２の電源側の端部と負荷側の端部には、後述する回転盤５の溝にはめ込まれる円柱状のピン６と、後述するプラグイン型遮断器本体５０の案内手段の一方を構成する案内溝７が設けられている。なお、絶縁ベース２には遮断器本体１の内部に設けられている補助スイッチなどの内部付属品の配線が接続された補助回路の端子８を備えた端子ブロック９が装着されている。
図１２は、プラグイン型遮断器本体５０を取り付ける取付台１０を正面側から見た斜視図である。取付台１０は成型絶縁物製の取付台ベース１１に電源側端子３及び負荷側端子４に対応するそれぞれ外線接続端子１２及び１３が取り付けられており、上述の補助回路の端子ブロック９の端子８と接触可能な端子１４を有する補助回路の端子ブロック１５が設けられている。
【００１３】
図１３は、ＯＮの状態にあるプラグイン型遮断器本体５０が取付台１０に取り付けられる前の状態を側面から見た一部を破断した図であって、図１４は取り付けられたあとの状態を示す図である。図１３を参照して、絶縁ベース２には、その背面から側壁２ａ並びに電源側及び負荷側のガイド壁２ｂが取付台１０の方向に突き出るように一体成型されている。この側壁２ａには、側壁２ａに沿って取付台１０の方向にスライド自在の部材５１と、それ自体に回転軸５２ａが一体成型された電源側及び負荷側のロックレバー５２と、ロックばね５３が設けられている。ロックばね５３は、一方の腕がガイド壁２ｂに係合し、他方の腕がロックレバー５２の溝５２ｂにはめ込まれるとともに他方の腕の端がスライド部材５１に係合するように取り付けられている。このロックばね５３の作用によって、電源側（図１３中、上側）及び負荷側（図１３中、下側）のロックレバー５２は、それぞれ時計方向及び反時計方向に付勢されている。
【００１４】
さらに、図１３に示されているようにプラグイン型遮断器本体５０がＯＮの状態にあるとき、詳細な説明は省略するが、開閉接触子と連動する開閉接触子連動レバー５４が反時計方向に回転し、開閉接触子連動片５５が右方にスライド移動した状態にある。この状態にあるときスライド部材５１も右方にスライドした位置にあり、ロックレバー５２のロック端５２ｃは取付台１０のロック壁５６の左のロック端５６ａと対向する位置にある。このため、プラグイン型遮断器本体５０を右方に移動させても、ロック端５２ｃがロック端５６ａにブロックされて取付台１０に取り付けることはできない。
プラグイン型遮断器本体５０をＯＦＦにすると開閉接触子連動レバー５４が時計方向に回転し開閉接触子連動片５５が左方へ移動しスライド部材５１も左方へスライドする。このスライド動作により電源側及び負荷側のロックレバー５２がそれぞれ時計方向及び反時計方向に回転しロック端５２ｃとロック端５６ａとの対向状態が解消し、図１４のごとくプラグイン型遮断器本体５０を取付台１０に取り付けることができる。
図１５を参照して、プラグイン型遮断器本体５０を取付台１０に取り付けた図１４の状態においてプラグイン型遮断器本体５０をＯＮにすると、電源側及び負荷側のロックレバー５２がそれぞれ反時計方向及び時計方向に回転し、ロック端５２ｃがロック壁５６の右のロック端５６ｂと対向し、この状態でプラグイン型遮断器本体５０を取付台１０から取り外そうとしてもロック端５２ｃがロック端５６ｂと係合して取り外すことはできない。プラグイン型遮断器本体５０をＯＦＦにすれば、図１４に示されているごとく、ロック端５２ｃとロック端５６ｂとの対向関係が解消して取り外すことができる。
なお、取付台１０の外線接続端子１２、１３にはチューリップ型接触子１６が取り付けられており、ばね１７によって電源側端子３及び負荷側端子４とそれぞれ外線接続端子１２及び１３とが確実に接触するようになっている。
このように、この回路遮断器はＯＮ状態にあればプラグイン型遮断器本体５０を取付台１０に取り付けることも取り外すこともできないため、取付け時や取外し時に本体側端子と外線接続端子との間でアークが発生することがないという安全機能を備えている。
【００１５】
次に、図１及び図２は、本実施例による引出装置を正面側から見た斜視図であって、プラグイン型遮断器本体５０が、それぞれ接続位置及び断路位置にある状態を示している。また、図３はこの引出装置にプラグイン型遮断器本体５０が取り付けられていない状態を示している。この図１及び図２は、この引出装置の構造や部材などの理解を容易にするため、遮断器本体１に関して外形だけを鎖線で示してある。この引出装置は電源側及び負荷側の一対の引出ユニット１８及び１９からなる。引出ユニット１８及び１９は、図１において上下対称であり本質的に同じ構成となっているため、図中構成部材の符号は引出ユニット１８及び１９のいずれか一方又は両方に付し、特記しない限り負荷側の引出ユニット１９について説明する。
図４は図１の引出ユニット１９を下側から見た図であって、引出ユニット１９は取付台１０を含む回路遮断器の幅Ｗからはみ出していない。
図５は図４を側面から見た要部断面図、図６は回転盤５の前述の溝が形成されている面を表面とすると裏面を示す図、図７は後述するチェックスライダ６２の側面図である。
【００１６】
図１、図２、図３、図４，図５、図６及び図７を参照して、引出ユニット１９は、図１２に示されている取付台１０の突起部２０に取り付けられた支持部材２１上に構築されている。支持部材２１には、回転軸２２によって回転自在に設けられ操作ハンドル２３を有する回転盤５と、ロックレバー６１と、チェックスライダ６２と、操作スライダ６３とが装着されている。
また、引出ユニット１９には取付台１０に関して垂直に立脚する一対の案内柱２６が形成され、前述した絶縁ベース２の案内溝７がはめ込まれてプラグイン型遮断器本体５０の案内手段を構成している。
【００１７】
回転盤５はその回転中心がプラグイン型遮断器本体５０の幅方向に関して中心線上に位置するように設けられており、その表面には互いにつながった直線状の溝２４とらせん状の溝２５が形成され、電源側及び負荷側の回転盤５の表面は遮断器本体１の略直方体の筐体の電源側の面及び負荷側の面と対向している。
回転盤５の裏面のベース面６４上には、図６を参照して、いずれも回転盤５の回転中心と同心の円弧を有する円盤６５と円盤６５より小さい半径の円弧を有する円盤６６が、回転盤５と一体的に形成されている。円盤６５の外周縁には３個の欠き部Ａ，Ｂ，Ｃが形成されており、欠き部Ａの一端から欠き部Ｂに向けてベース面６４から円盤６５の面上にいたるスロープＡＢ、同様に欠き部Ｂの両端には欠き部Ａ及び欠き部Ｃに向けてそれぞれスロープＢＡ及びＢＣ、欠き部Ｃの一端から欠き部Ｂに向けてスロープＣＢが形成されている。また、円盤６６の外周縁には、欠き部Ｄ，Ｅ及びＦが、それぞれ欠き部Ａ，欠き部Ｂ及び欠き部Ｃから回転中心に向かう線上に形成されている。
【００１８】
図７は、チェックスライダ６２の側面図である。チェックスライダ６２は熱可塑性の成型絶縁物製であり、その壁部６２ａと突起６２ｂとによって構成される溝を、図５を参照して、支持部材２１の壁にはめ込むことによって上下方向にスライド自在に設けられており、チェックスライダ６２の内側には壁部６２ａと共同してＵ字を形成するロック指６２ｃを有している。このロック指６２ｃの先端部付近と壁部６２ａとの間には押ばね６７が取り付けられており、ロック指６２ｃをその先端に設けられたチェック端６２ｅが壁部６２ａから離れる方向に付勢する。
ロックレバー６１は、図４及び図５において、引出ユニット１９の下部に設けられ、ねじりばね６８によって時計方向に付勢されている。ロックレバー６１の一方の腕６１ａはチェックスライダ６２の下端部６２ｄと係合しチェックスライダ６２を上方に付勢している。
操作スライダ６３は、上下方向にスライド可能なように支持部材２１上に設けられており、ばね６９によって上方に付勢され、下方に押すことによってチェックスライダ６２を下方に変位させ、自由状態にすることによって図５に示される位置まで上方に復帰する。
【００１９】
次に、この引出装置にプラグイン型遮断器本体５０を取り付けるときの動作について説明する。なお、図８及び図９は、引出ユニット１９を図１において上側から見たときの動作を説明する説明図である。
まず、プラグイン型遮断器本体５０を次のように取付取外位置にセットする。すなわち、図３および図８を参照して、回転盤５を取付取外の位置に回転させて直線状の溝２４の開口端２４ａを正面側に向ける。この状態において、図６を参照して、回転盤５の裏側では、上方に付勢されているチェックスライダ６２のチェック端６２ｅが円盤６６の欠き部Ｄに入り込んでいる。この状態において、ピン６が開口端２４ａから直線状の溝２４とらせん状の溝２５の交点に位置するまで移動するように、プラグイン型遮断器本体５０を移動させる。この取付取外位置においては、本体側の主回路と取付台側の主回路の外線接続端子及び本体側の取付台側の補助回路の端子も接触していない状態であって、かつ、プラグイン型遮断器本体５０は何の操作をすることなく再び手前に取り出すことができる。
【００２０】
この取付取外位置から断路位置までプラグイン型遮断器本体５０を移動させるためには、まず操作スライダ６３を下方に押す。この操作により、チェックスライダ６２が下方に変位し、ロック指６２ｃの先端のチェック端６２ｅが欠き部Ｄから欠き部Ａに変位して、回転盤５は回転可能な状態になる。この状態から回転盤５を接続位置方向に（図８において時計方向に）回転させると、回転軸２２から遠ざかるように形成されているらせん状の溝２５の縁から変位作用力がピン６に付勢され、案内溝７と案内柱２６による案内手段によってピン６と共にプラグイン型遮断器本体５０が取付台１０方向に移動する。図６を参照して、回転盤５が回転する初期において、チェック端６２ｅがスロープＡＢ上を摺動し、円盤６５の平面上に移動する。このあと、ばね６８によって上方に付勢されているチェックスライダ６２のチェック端６２ｅは円盤６６の外周縁ＡＢＡと接してこの外周縁に沿って相対的に円盤６５の平面上を摺動して欠き部Ｅにはまり込む。このはまり込みより、回転盤５のさらなる回転が阻止され、プラグイン型遮断器本体５０は図２に示されている断路位置に達する。この断路位置は、プラグイン型遮断器本体５０の主回路の端子と取付台１０側の主回路の外線接続端子及び本体側及び取付台側の補助回路の端子はまだ接触していない位置であり、ピン６０がらせん状の溝２５の中途にあるためプラグイン型遮断器本体５０を取り出すことができない位置である。
【００２１】
さらに引き続いて接続位置に移動するときは、再び操作スライダ６３を下方に押す。この操作により、ロック指６２ｃのチェック端６２ｅが欠き部Ｅから欠き部Ｂに移動し、回転盤５が回転可能な状態となる。そして、回転盤５を回転させると、チェック端６２ｅが、スロープＢＣ上を摺動し円盤６５の平面上に移動し、そのあと円盤６６の外周縁ＢＣＢに沿って相対的に円盤６５の平面上を摺動し、欠き部Ｆにはまり込む。このはまり込みにより回転盤５のさらなる回転が阻止され、プラグイン型遮断器本体５０は図１及び図９に示されている接続位置に達する。この接続位置では、本体側の主回路端子及び補助回路の端子が、それぞれ取付台側の主回路端子及び補助回路端子と接触している。また、この接続位置では、プラグイン型遮断器本体５０はピン６０がらせん状の溝２５の閉鎖した端部２５ａ付近にあるため取り出すことができない。
この接続位置からプラグイン型遮断器本体５０を取り出すときは、操作スライダ６３を下方に押してチェック端６２ｅをＦからＣの位置に移動させ回転盤５を反対方向に回転させると、チェック端６２ｅがスロープＣＢ上を摺動し引き続いて円盤６６の外周縁ＢＣＢに沿って円盤６５の平面上を摺動して欠き部Ｅにはまり込んだ断路位置になる。さらに、再び操作スライダ６３を下方に押してチェック端６２ｅをＥからＢに移動させ回転盤５を回転させると、チェック端６２ｅがスロープＢＡ上を摺動しさらに円盤６６の外周縁ＡＢＡに沿って円盤６５の平面上を摺動して欠き部Ｄに入り込む。この位置でプラグイン型遮断器本体５０を取り出すことができる。
なお、本体側と取付台側の主回路端子が接触する前に本体側の補助回路の端子と取付台側の補助回路端子が接触するように構成し,回転盤５の裏面の断路位置と接続位置との間に断路位置と同様な欠き部やスロープを設けることにより、本体側の補助回路の端子と取付台側の補助回路端子だけが接触する試験位置を設けることができ、主電路を開閉せずに内部付属品の動作の状態を確認できる。
【００２２】
この引出型回路遮断器には、ＯＮ状態にあるプラグイン型遮断器本体５０の移動を阻止するインターロック機能の、いずれか一方でも本質的な機能を満足できる、二つの構成を含んでいる。すなわち、一方の構成は、ロックレバー５２とロック壁５６とによって実現されているものであり、次に述べる後者の構成が設けられていない場合、回転盤５を回転付勢しプラグイン型遮断器本体５０が移動するよう付勢されてもその移動が阻止されるのは前述の通りである。
他方の構成は、ＯＮ状態にあるとき操作スライダ６３を下方に押すことができないように構成したものである。この後者の構成の場合は、ＯＦＦ状態では小さい力スライド移動できる操作スライダ６３を、ＯＮ状態では移動させることができないことによってＯＮ状態にあることを認識できる。この後者の構成のものは、取付台ベース１１には衝立状のスライダガイド７１が一体成型されており、スライダガイド７１に沿ってスライドするロックスライダ７０がこのスライダガイド７１を抱えるように設けられている。ロックスライダ７０は、スライダガイド７１の一辺側にロックレバー６１の他方の腕６１ｂと係合するキャッチ７０ａを備え、他辺側にコ字状の両脚を構成するようなキャッチ７０ｂ及び７０ｃを備える。一方、プラグイン型遮断器本体５０には、ロックレバー５２と一体として回転しロック端７２ａを備えたロックレバー７２が設けられている。
【００２３】
図２を参照して、断路位置にあるプラグイン型遮断器本体５０はＯＦＦ状態にある。この状態では、下側のロックレバー７２は反時計方向に回転した状態にあり、そのロック端は７２ａはロックスライド７０のキャッチ７０ｃと対向する位置にない。（以下下側のロックレバー７２を例として記載する。）したがって、操作ハンドル２３を操作してプラグイン型遮断器本体５０を接続位置方向に移動させることができる。しかし、ＯＮ状態の場合は、前述のごとくロックレバー７２がロックレバー５０と共に時計方向に回転して、そのロック端７２ａがロックスライダ７０のキャッチ７０ｃの外側と対向する。この状態で、プラグイン型遮断器本体５０を接続位置に移動させるために、図４において操作スライダ６３を下方へ押すと、その操作力はチェックスライダ６２を下方に付勢し、ロックレバー６１を反時計方向に付勢し、そのロック端６１ｂ及びキャッチ７０ａを介してロックスライダ７０を上方に付勢する。しかし、ロックスライダ７０のキャッチ７０ｃがロックレバー７２のロック端７２ａと係合することによって、ロックレバー６１の回転が阻止され、チェックスライダ６２及び操作スライダ６３の下方への移動が阻止される。このように、チェックスライダ６２が下方に移動しなければ、チェック端６２ｅが欠き部Ｅから離脱しないため回転盤５を回転させてプラグイン遮断器本体５０を接続位置に移動させることができない。
図１を参照して、接続位置にあるプラグイン型遮断器本体５０はＯＦＦ状態にある。上述と同様に、この状態ではロックレバー７２は反時計方向に回転した状態にあり、そのロック端は７２ａはロックスライド７０のキャッチ７０ｂと対向する位置にない。したがって、接続位置方向に移動させることができる。しかし、ＯＮ状態の場合は、ロックレバー７２が時計方向に回転して、そのロック端７２ａがロックスライダ７０のキャッチ７０ｂの内側と対向する位置にある。この状態で操作スライダ６３を押しても、キャッチ７０ｂがロック端７２ａと係合するためロックレバー６１の回転が阻止され、チェックスライダ６２及び操作スライダ６３の下方への移動が阻止される。このように、チェックスライダ６２が下方に移動しなければ、チェック端６２ｅが欠き部Ｆから離脱しないため回転盤５を回転させてプラグイン遮断器本体５０を断路位置に移動させることができない。
【図面の簡単な説明】
【００２４】
【図１】本発明による引出装置の実施例の、遮断器本体が接続位置にある状態を示す斜視図である。
【図２】遮断器本体が断路位置にあるときの図１相当図である。
【図３】遮断器本体を取り付ける前取付取外位置にある状態の図１相当図である。
【図４】図３を下方から見た一部を破断した図である。
【図５】図４を側方から見た一部を破断した部分図である。
【図６】本実施例の構成部品を示す図である。
【図７】他の構成部品を示す図である。
【図８】図１の引出装置の動作を説明する図である。
【図９】図１の引出装置の動作を説明する図である。
【図１０】本実施例の引出装置を装着する回路遮断器の３極型の遮断器本体の正面図である。
【図１１】図１０の遮断器本体にプラグイン型回路遮断器としての部材を装着したものを背面側から見た斜視図である。
【図１２】図１０の遮断器本体を取り付ける取付台であって正面側から見た斜視図である。
【図１３】ＯＮ状態にある遮断器本体を取付台に取り付ける前の状態を側面から見た一部を破断した図である。
【図１４】遮断器本体をＯＦＦにして取付台に取り付けた後の状態を側面から見た一部を破断した図である。
【図１５】遮断器本体を取付台に取り付けた後ＯＮにしたときの状態を側面から見た一部を破断した図である。
【図１６】従来の引出装置の図である。
【符号の説明】
【００２５】
１  遮断器本体
２  絶縁ベース
５  回転盤
６  ピン
７  案内溝
１０  取付台
１１  取付台ベース
１６  チューリップ型接触子
１７  ばね
１８、１９  引出ユニット
２０  突起部
２１  支持部材
２２  回転軸
２３  操作ハンドル
２４  直線状の溝
２５  らせん状の溝
２６  案内柱
５０  プラグイン型遮断器本体
５１  スライド部材
５２  ロックレバー
５２ａ  回転軸
５２ｂ  溝
５２ｃ  ロック端
５３  ロックばね
５４  開閉接触子連動レバー
５５  開閉接触子連動片
５６  ロック壁
５６ａ  上部ロック端
５６ｂ  ロック端
６１  ロックレバー
６１ａ  一方の腕
６１ｂ  他方の腕
６２  チェックスライダ
６２ｄ  下端部
６２ｅ  チェック端
６３  操作スライダ
６４  ベース面
６５、６６  円盤
Ａ，Ｂ，Ｃ、Ｄ，Ｅ、Ｆ  欠き部
ＡＢ、ＢＡ、ＢＣ、ＣＢ  スロープ
ＡＢＡ、ＢＣＢ  外周縁
６７  押ばね
６８  ねじりばね
６９  ばね
７０  ロックスライダ
７０ａ、７０ｂ、７０ｃ  キャッチ
７１  スライダガイド
７２  ロックレバー
７２ａ  ロック端
【図１】
2004319427.tif 000003
【図２】
2004319427.tif 000004
【図３】
2004319427.tif 000005
【図４】
2004319427.tif 000006
【図５】
2004319427.tif 000007
【図６】
2004319427.tif 000008
【図７】
2004319427.tif 000009
【図８】
2004319427.tif 000010
【図９】
2004319427.tif 000011
【図１０】
2004319427.tif 000012
【図１１】
2004319427.tif 000013
【図１２】
2004319427.tif 000014
【図１３】
2004319427.tif 000015
【図１４】
2004319427.tif 000016
【図１５】
2004319427.tif 000017
【図１６】
2004319427.tif 000018